(57)【要約】【課題】簡単な操作でパソコン１からパソコン２へデータ送信を行うことのできる無線通信システムを提供する。【解決手段】パソコン１からパソコン２へ無線通信を用いてデータを送信する無線通信システムにおいて、パソコン１とパソコン２の間に、移動可能な外部記憶装置３（３ａ〜３ｃ）を備える。そして、パソコン１，２は、無線通信により外部記憶装置３（３ａ〜３ｃ）と通信可能な簡易通信モジュール１１，２１を備え、外部記憶装置３（３ａ〜３ｃ）は、パソコン１及びパソコン２と通信可能な通信部３５と、パソコン１，２より送信されたデータを記憶するメモリ３２を備える。【選択図】      図１
2006211502.tif 000002
【特許請求の範囲】
【請求項１】
第１の端末から第２の端末へ無線通信を用いてデータを送信する無線通信システムにおいて、
前記第１の端末は、送信対象となるデータを無線通信により、移動可能な外部記憶装置に送信し、前記外部記憶装置は、前記第１の端末より送信されたデータを記憶すると共に、前記第２の端末よりアクセスが発生した場合には、無線通信により前記第２の端末にアクセス対象となるデータを送信することを特徴とする無線通信システム。
【請求項２】
第１の端末と第２の端末を備え、前記第１の端末から前記第２の端末へ無線通信を用いてデータを送信する無線通信システムにおいて、
前記第１の端末と前記第２の端末との間に介置された少なくとも１つの移動可能な外部記憶装置を有し、
前記第１の端末、及び第２の端末は、無線通信により前記外部記憶装置と通信可能な端末側通信手段を備え、
前記外部記憶装置は、データを記憶する記憶手段と、前記第１の端末及び第２の端末と通信可能な記憶装置側通信手段と、前記第１の端末よりデータが送信された際にはこのデータを前記記憶手段に記憶すると共に、前記第２の端末よりデータの読み取り要求が発生した場合には前記記憶手段に記憶されているデータを読み取る制御を行う制御手段と、
を備えたことを特徴とする無線通信システム。
【請求項３】
前記外部記憶装置は、ユーザが所持する携帯電話機或いは腕時計に搭載されることを特徴とする請求項２に記載の無線通信システム。
【請求項４】
前記第１の端末及び第２の端末は、通信可能な前記外部記憶装置の一覧を表示する機能を備えることを特徴とする請求項１〜請求項３のいずれか１項に記載の無線通信システム。
【発明の詳細な説明】
【技術分野】
【０００１】
本発明は、簡単な操作で複数の端末間でのデータの送受信を行う無線通信システムに関する。
【背景技術】
【０００２】
例えば、パソコンＡでインターネット検索しているユーザが、画面上に表示されている興味あるＵＲＬアドレスを、他のパソコンＢのユーザに通知したいという要望が多々発生する。このような場合には、対象となるＵＲＬアドレスをパソコンＡのユーザが紙に記載してパソコンＢのユーザに手渡す、或いはパソコンＡまたはＢのユーザが自分で記憶してパソコンＢ上で入力する、或いはパソコンＢのユーザがパソコンＡの表示画面を覗き込みながら、パソコンＢに入力する等の手法が採られるのが一般的である。
【０００３】
ところが、このような操作は全て人為的な作業であり、伝達ミスが発生することがあり、データ転送の正確性に欠けるという欠点がある。
【０００４】
また、簡単な操作で、且つ確実にパソコン間でのデータ送信を行う従来例として、例えば特開平１１−５３２７６号公報（特許文献１）に開示された技術が知られている。該特許文献１では、送信側のパソコン（パソコンＡ）がその内部に送信データを保存する記憶領域を備え、受信側のパソコン（パソコンＢ）のユーザが、パソコンＡにアクセスすることにより、記憶領域に保存されているデータを読み取る構成とされている。
【特許文献１】特開平１１−５３２７６号公報
【発明の開示】
【発明が解決しようとする課題】
【０００５】
しかしながら、上述した特許文献１に開示された従来技術では、パソコン間でデータの送受信を行う必要があるので、送信側となるパソコンＡと受信側となるパソコンＢが、近距離に存在しなければならない。また、パソコンＡの電源がオフとされている場合には、パソコンＢ側からパソコンＡにアクセスすることができず、データを取得することができないという問題が発生し、何とか簡単な方法でデータの送受信を行うことのできる技術の開発が望まれていた。
【０００６】
本発明は、このような従来の課題を解決するためになされたものであり、その目的とするところは、簡単な操作で第１の端末から第２の端末への無線によるデータ送信を行うことのできる無線通信システムを提供することにある。
【課題を解決するための手段】
【０００７】
上記目的を達成するため、本願請求項１に記載の発明は、第１の端末から第２の端末へ無線通信を用いてデータを送信する無線通信システムにおいて、前記第１の端末は、送信対象となるデータを無線通信により、移動可能な外部記憶装置に送信し、前記外部記憶装置は、前記第１の端末より送信されたデータを記憶すると共に、前記第２の端末よりアクセスが発生した場合には、無線通信により前記第２の端末にアクセス対象となるデータを送信することを特徴とする。
【０００８】
請求項２に記載の発明は、第１の端末と第２の端末を備え、前記第１の端末から前記第２の端末へ無線通信を用いてデータを送信する無線通信システムにおいて、前記第１の端末と前記第２の端末との間に介置された少なくとも１つの移動可能な外部記憶装置を有し、前記第１の端末、及び第２の端末は、無線通信により前記外部記憶装置と通信可能な端末側通信手段を備え、前記外部記憶装置は、データを記憶する記憶手段と、前記第１の端末及び第２の端末と通信可能な記憶装置側通信手段と、前記第１の端末よりデータが送信された際にはこのデータを前記記憶手段に記憶すると共に、前記第２の端末よりデータの読み取り要求が発生した場合には前記記憶手段に記憶されているデータを読み取る制御を行う制御手段と、を備えたことを特徴とする。
【０００９】
請求項３に記載の発明は、前記外部記憶装置は、ユーザが所持する携帯電話機或いは腕時計に搭載されることを特徴とする。
【００１０】
請求項４に記載の発明は、前記第１の端末及び第２の端末は、通信可能な前記外部記憶装置の一覧を表示する機能を備えることを特徴とする。
【発明の効果】
【００１１】
請求項１，２の発明では、第１の端末で取り扱う各種のデータを第２の端末へ送信したい場合には、第１の端末と通信可能な外部記憶装置にこのデータを送信して記憶保存し、更に、第２の端末から外部記憶装置にアクセスして、該外部記憶装置に記憶保存されているデータを取得することができる。従って、第１の端末で取り扱うデータを簡単な操作で第２の端末へ送信することができるので、第１の端末側でコピーした文字データを、第２の端末側で貼り付けるといういわゆる「コピーアンドペースト」の処理を異なる端末間で容易に行うことができる。
【００１２】
また、外部記憶装置は移動可能であるので、第１の端末と第２の端末が離れた位置に設けられている場合であっても、容易にデータ送信が可能となる。更に、第１の端末と第２の端末の双方が同時にオンとされていない場合であっても、データ送信が可能となる。
【００１３】
請求項３の発明では、外部記憶装置の機能を携帯電話機或いは腕時計に搭載するので、携帯に便利であり、且つ手軽にデータ送信を行うことができる。
【００１４】
請求項４の発明では、第１の端末、第２の端末は、通信可能な外部記憶装置の一覧を表示する機能を備えるので、現在使用可能な外部記憶装置を容易に認識することができ、簡単な操作で所望の外部記憶装置を選択することができる。
【発明を実施するための最良の形態】
【００１５】
以下、本発明の実施形態を図面に基づいて説明する。図１は、本発明の一実施形態に係る無線通信システムの構成を示すブロック図である。同図に示すように、この無線通信システム１００は、データの送信側となる端末としてのパソコン（第１の端末）１と、データの受信側となる端末としてのパソコン（第２の端末）２と、各パソコン１、２の間に介在する３つの外部記憶装置３（３ａ〜３ｃ）から構成されている。なお、実際にはパソコン１，２は共に送受信可能であり、パソコン２側からパソコン１側にデータを送信することもできるが、ここでは一例としてパソコン１が送信側の端末、パソコン２が受信側の端末として説明する。
【００１６】
パソコン１は、ブルートゥース（商標）等の簡易無線通信を行うための簡易通信モジュール（端末側通信手段）１１と、送信対象となるデータを記憶するメモリ１２と、アプリケーションプログラムが記憶されたハードディスク１３とを備えている。同様に、パソコン２は、ブルートゥース等の簡易無線通信を行うための簡易通信モジュール２１と、送信対象となるデータを記憶するメモリ２２と、アプリケーションプログラムが記憶されたハードディスク２３とを備えている。
【００１７】
そして、本実施形態の無線通信システム１００は、パソコン１にて３つの外部記憶装置３（３ａ〜３ｃ）から任意の外部記憶装置３を選択し、送信対象となるデータを簡易無線通信により送信すると、このデータが選択した外部記憶装置３に記憶され、且つ、パソコン２より、任意の外部記憶装置３にアクセスしてパソコン１より送信されたデータを受信することにより、パソコン２ではパソコン１より送信されるデータを簡単な操作で且つ確実に取得することができるものである。
【００１８】
図２は、外部記憶装置３（３ａ〜３ｃ）の詳細な構成を示すブロック図である。同図に示すように、外部記憶装置３（３ａ〜３ｃ）は、制御部（制御手段）３１と、メモリ（記憶手段）３２と、操作部３３と、表示部３４と、通信部（記憶装置側通信手段）３５と、電源部３６とを備えている。
【００１９】
通信部３５は、例えばブルートゥース等の簡易無線通信機能を有し、該簡易無線通信を用いてパソコン１，２との間でデータを送受信する機能を備える。
【００２０】
制御部３１は、通信部３５にてデータを受信した際には受信したデータをメモリ３２内に格納する処理、通信部３５にてデータの読み出し要求信号を受信した際には、要求されたデータをメモリ３２内から読み出して通信部３５へ出力する処理等、外部記憶装置３（３ａ〜３ｃ）全体を総括的に制御する。
【００２１】
操作部３３は、ユーザによる各種の操作入力を受け付ける。表示部３４は、操作部３３より入力された入力データ或いは通信部３５を介して送受信されるデータ等、各種のデータを画面表示する。
【００２２】
また、外部記憶装置３（３ａ〜３ｃ）は、移動可能であり、例えば各ユーザが所持する携帯電話、或いは腕時計に搭載することもできる。
【００２３】
次に、上記のように構成された本実施形態に係る無線通信システムの作用について説明する。図３は、パソコン１のユーザが所望するデータを外部記憶装置３に送信する際の処理動作を示すフローチャートである。
【００２４】
まず、パソコン１のユーザが、簡易無線通信を使用するためのアプリケーションを起動する（ステップＳＴ１）。次いで、アプリケーションの処理により簡易無線通信を行ってパソコン１の周辺に存在する外部記憶装置３を検索し、検索された外部記憶装置３、即ち現時点でパソコン１と通信が可能である外部記憶装置３の一覧をパソコン１の表示画面に表示する（ステップＳＴ２）。その結果、例えば、図５に示すように、外部記憶装置３ａ，３ｂ，３ｃが一覧として表示される。
【００２５】
そして、ユーザは、この表示画面を見て所望の外部記憶装置３（３ａ〜３ｃ）を選択する（ステップＳＴ３）。例えば、図５に示すように３つの外部記憶装置３（３ａ〜３ｃ）が存在する場合には、このうちのいずれか１つの外部記憶装置３を選択する。
【００２６】
その後、ユーザはパソコン１上で送信の対象となるデータを選択し、コピーしたい場合にはコピーのコマンドである「Ctrl+C」キーを押下し、切り取りしたい場合には切り取りのコマンドである「Ctrl+X」キーを押下する（ステップＳＴ４）。或いは、マウス等の入力手段を用いてコピー、切り取りのコマンドを入力する。
【００２７】
次いで、パソコン１の簡易通信モジュール１１は、選択されたコピーデータ或いは切り取りデータをメモリ１２内から読み出し、このデータを簡易無線通信により選択した外部記憶装置３に送信する（ステップＳＴ５）。外部記憶装置３では、パソコン１より送信されたデータを通信部３５にて受信し、受信したデータをメモリ３２内に保存する（ステップＳＴ６）。
【００２８】
こうして、パソコン１より送信されたデータが外部記憶装置３内のメモリ３２に記憶保存される。
【００２９】
次に、図４に示すフローチャートを参照して、外部記憶装置３に記憶保存されているデータをパソコン２に送信して所定のファイルに貼り付ける際の処理手順について説明する。
【００３０】
まず、パソコン２のユーザが、簡易無線通信を使用するためのアプリケーションを起動する（ステップＳＴ１１）。次いで、アプリケーションの処理により簡易無線通信を行ってパソコン２の周辺に存在する外部記憶装置３を検索し、検索された外部記憶装置３、即ち現時点でパソコン２と通信が可能である外部記憶装置３の一覧をパソコン２の表示画面に表示する（ステップＳＴ１２）。その結果、例えば、上述した図５に示す如くの、外部記憶装置３ａ，３ｂ，３ｃが一覧として表示される。
【００３１】
そして、ユーザは、この表示画面を見て、一覧表示された外部記憶装置３の中から所望のデータが保存されているものを選択する（ステップＳＴ１３）。例えば、図５に示すように３つの外部記憶装置３ａ〜３ｃが存在する場合には、この中から所望するデータが書き込まれている外部記憶装置３を選択する。
【００３２】
その後、ユーザはパソコン２上で貼り付けのコマンドである「Ctrl+V」キーを押下する（ステップＳＴ１４）。或いは、マウス等の入力手段を用いて貼り付けのコマンドを入力する。そして、パソコン２のユーザにより貼り付けコマンドが入力されると、アプリケーションの処理により、外部記憶装置３のメモリ３２に保存されている全てのデータを読み取り、これらのデータの一覧をパソコン２の表示画面に表示する（ステップＳＴ１５）。その結果、例えば図６に示すように、文字或いはＵＲＬアドレス等の外部記憶装置３に記憶されているデータの一覧が表示される。
【００３３】
そして、パソコン２のユーザは、この一覧表示を見て所望するデータを選択すると（ステップＳＴ１６）、選択されたデータがパソコン２の所望するファイルに貼り付け処理される（ステップＳＴ１７）。こうして、パソコン１より送信されたデータをパソコン２で受信し、このデータを所望のファイルに貼り付けることができる。
【００３４】
このようにして、本実施形態に係る無線通信システム１００では、データの送信元となるパソコン１とデータの送信先となるパソコン２の間に、ブルートゥース等の簡易無線通信を用いてデータの送信が可能な外部記憶装置３（３ａ〜３ｃ）を介在させ、該外部記憶装置３（３ａ〜３ｃ）を経由してパソコン１からパソコン２へデータを送信することができるので、パソコン１とパソコン２とが同一ネットワーク上に無い場合であっても、パソコン１からパソコン２へのコピー、貼り付け処理、いわゆる「コピーアンドペースト」の処理を容易に行うことができる。また、パソコン１とパソコン２が同時にオンとされていない場合でも、パソコン１からパソコン２へのコピーアンドペーストの処理を行うことができる。
【００３５】
また、従来のように、コピー対象のデータをユーザがメモする、或いは記憶するという人為的な操作が介在しないので、入力ミスの発生を防止することができる。更に、外部記憶装置３は移動可能であるので、例えばパソコン１とパソコン２が離れた位置に設置されている場合であっても、外部記憶装置３を移動することにより、データ転送を円滑に行うことができる。
【００３６】
また、ユーザが所持する携帯電話機或いは腕時計等に簡易無線通信機能、及びデータ記憶機能を備える構成とし、該携帯電話或いは腕時計を外部記憶装置３として使用すれば、持ち運びが便利であり、且つ手軽にコピーアンドペーストの処理を行うことができる。更に、外部記憶装置３としての携帯電話機自体に受信側端末の機能を持たせ、送信側端末であるパソコン１にてコピーされたデータを携帯電話機自身のアドレス帳等に直接貼り付けるようにすることも可能である。また、これとは反対に、携帯電話機自体に送信側端末の機能を持たせ、携帯電話機のアドレス帳等に書き込まれているデータをコピーして受信側端末であるパソコン２に送信するように構成することも可能である。
【００３７】
また、外部記憶装置３に記憶したデータは、パソコン１，２のみならず他の複数のパソコンのユーザが使用することができるので、データの共有化を図ることができ、データ流通の簡略化が期待できる。
【００３８】
なお、上記した実施形態では、パソコン１がデータの送信側、パソコン２がデータの受信側とした場合を例に挙げて説明したが、これらは反対であっても良い。また、端末機としてパソコン１，２の２つを示したが、３以上のパソコンが設けられる場合であっても同様の処理が可能であることは勿論である。
【００３９】
また、上記した実施形態では、外部記憶装置３として３つの外部記憶装置３（３ａ〜３ｃ）を備える場合の例について説明したが、本発明は３つに限定されるものではない。
【００４０】
更に、上記した実施形態では、簡易無線通信としてブルートゥース（商標）を用いる例について説明したが、本発明はこれに限定されるものではなく、その他の無線通信を用いることも可能である。
【産業上の利用可能性】
【００４１】
パソコン同士でデータの送受信を行う操作を、正確に且つ簡単な操作で行う上で極めて有用である。
【図面の簡単な説明】
【００４２】
【図１】本発明の一実施形態に係る無線通信システムの構成を示すブロック図である。
【図２】外部記憶装置の詳細構成を示すブロック図である。
【図３】送信側のパソコンでコピー或いは切り取りされたデータを外部記憶装置に記憶保存する際の処理手順を示すフローチャートである。
【図４】外部記憶装置に記憶保存されているデータを受信側のパソコンで貼り付ける際の処理手順を示すフローチャートである。
【図５】使用可能な外部記憶装置の一覧の表示例を示す説明図である。
【図６】外部記憶装置に記憶保存されているデータの一覧の表示例を示す説明図である。
【符号の説明】
【００４３】
１  パソコン（第１の端末）
２  パソコン（第２の端末）
３（３ａ〜３ｃ）  外部記憶装置
１１，２１  簡易通信モジュール（端末側通信手段）
１２，２２  メモリ
１３，２３  ハードディスク
３１  制御部（制御手段）
３２  メモリ（記憶手段）
３３  操作部
３４  表示部
３５  通信部（記憶装置側通信手段）
３６  電源部
１００  無線通信システム
【図１】
2006211502.tif 000003
【図２】
2006211502.tif 000004
【図３】
2006211502.tif 000005
【図４】
2006211502.tif 000006
【図５】
2006211502.tif 000007
【図６】
2006211502.tif 000008